(57)【要約】【課題】逆光や夜間であっても内部の信号処理により撮影に適したスルー画を表示画面上に表示することができる撮影装置およびその撮影装置におけるスルー画表示方法を提供する。【解決手段】１フレーム目に顔検出手段１３１０１で顔の位置を検出しその顔位置周辺を主要被写体であるとして顔位置周辺が最適露出になる第１の表示用画像を撮像手段１３０１で生成する。２フレーム目に顔検出手段１３１０１で検出された顔位置周辺を除く領域が最適露出になる第２の表示用画像を撮像手段で生成する。第１の表示用画像と第２の表示用画像とを２フレームごとに顔領域合成手段１３０５で合成して表示制御手段１３０６の制御の下にＬＣＤ１１７のＬＣＤパネル上に表示する。【選択図】  図３
2009182832.tif 000002
【特許請求の範囲】
【請求項１】
撮像素子上に被写体を結像させ撮影操作に応じて撮影画像を生成する撮影装置において、
前記撮像素子により撮影に先立って生成された複数フレームの表示用画像に基づいてスルー画を生成させるスルー画生成手段と、
前記スルー画生成手段で生成されたスルー画を表示するスルー画表示手段とを備え、
前記スルー画生成手段が、
前記表示用画像上の主要被写体を認識する被写体認識手段と、
前記被写体認識手段で認識された主要被写体が適正露出に調整された第１の表示用画像と該主要被写体を除く領域が最適露出に調整された第２の表示用画像が繰り返し配置されてなる、複数フレームの表示用画像を生成する露出調整手段と、
前記第１の表示用画像の主要被写体と、前記第２の表示用画像とを合成した第３の表示用画像が複数フレームに渡って繰り返すスルー画を生成する画像合成手段とを有することを特徴とする撮影装置。
【請求項２】
前記表示用画像中の顔を認識する顔認識手段を備え、前記被写体認識手段は、前記顔認識手段で認識された顔を主要被写体として認識するものであることを特徴とする請求項１記載の撮影装置。
【請求項３】
前記露出調整手段は、前記第１の表示用画像と前記第２の表示用画像とが交互に並ぶように露出を調整するものであることを特徴とする請求項１又は２記載の撮影装置。
【請求項４】
前記画像合成手段は、互いに隣接する第１の表示用画像と第２の表示用画像を合成することにより第３の表示用画像を表示するものであることを特徴とする請求項３記載の撮影装置。
【請求項５】
撮像素子上に被写体を結像させ撮影操作に応じて撮影画像を生成する撮影装置における撮影前のスルー画を表示するスルー画表示方法であって、
前記撮像素子により撮影に先立って生成された複数フレームの表示用画像に基づいてスルー画像を生成させるスルー画生成ステップと、
前記スルー画生成手段で生成されたスルー画を表示するスルー画表示ステップとを有し、
前記スルー画生成ステップが、
前記表示用画像上の主要被写体を認識する被写体認識ステップと、
前記被写体認識手段で認識された主要被写体が適正露出に調整された第１の表示用画像と該主要被写体を除く領域が最適露出に調整された第２の表示用画像が繰り返し配置されてなる、複数フレームの表示用画像を生成する露出調整ステップと、
前記第１の表示用画像の主要被写体と、前記第１の表示用画像とを合成した第３の表示用画像が複数のフレームに渡って繰り返すスルー画を生成する画像合成ステップとを有し、
前記スルー画表示ステップは、前記画像合成ステップで得られた第３の表示用画像が複数フレームに渡って繰り返すスルー画を表示するステップであることを特徴とするスルー画表示方法。
【発明の詳細な説明】
【技術分野】
【０００１】
本発明は、撮像素子を備え、その撮像素子上に被写体像を形成して画像信号を生成する撮影装置およびその撮影装置におけるスルー画表示方法に関する。
【背景技術】
【０００２】
最近のデジタルカメラにおいては、表示画面にファインダの役割を担わせるものが多く、撮影者によってその表示画面上の画像が視認されながらシャッタチャンスに撮影が行なわれる。このため表示画面上には、デジタルカメラが備える撮影レンズが捉えている被写体がスルー画としてそのまま表示されるようにデジタルカメラ内部で処理が行なわれている。しかしこのように撮影レンズが捉えている被写体がそのまま表示画面上に表示されると、逆光撮影環境にあるときや夜間撮影環境にあるときには見難い画像が表示画面上に表示されてしまうという問題がある。
【０００３】
ところで、最近のデジタルカメラにおいては、内部の信号処理部で信号処理を行なうことによりスルー画を見易く表示することが可能である。特許文献１には主要被写体が人物である場合に撮影装置内部の信号処理部でその人物の顔の拡大処理を行ってスルー画中の主要被写体となる人物の顔を見易く表示する技術が提案されている。
【０００４】
しかしこの特許文献１の技術を使って逆光撮影環境や夜間撮影環境にあるときの表示画面上のスルー画を見難いまま拡大表示してもスルー画中の主要被写体は決して見易くはならない。また、撮影画像がスルー画とは異なる画像になってしまう恐れが出てくる。これを回避するために特許文献２の技術を使ってスルー画全体の輝度を上げて明るくすることが考えられるが、そうすると今度はスルー画全体が明るくなりすぎて見難くなってしまう。撮影済みの画像であれば特許文献３の技術を使って主要被写体と背景との双方を撮影に適した明るさに調整して表示画面上に表示することができるが、この特許文献３の技術はスルー画に関するものではない。
【特許文献１】特開２００５−３１８５１５号公報
【特許文献２】特開２００６−１５４９６４号公報
【特許文献３】特開２００５−３１６７４３号公報
【発明の開示】
【発明が解決しようとする課題】
【０００５】
本発明は、上記欠点を解決し、逆光や夜間の撮影環境にあっても内部の信号処理により撮影に適したスルー画を表示画面上に表示することができる撮影装置およびその撮影装置におけるスルー画表示方法を提供することを目的とするものである。
【課題を解決するための手段】
【０００６】
上記目的を達成する本発明の撮像素子上に被写体を結像させ撮影操作に応じて撮影画像を生成する撮影装置において、
上記撮像素子により撮影に先立って生成された複数フレームの表示用画像に基づいてスルー画を生成させるスルー画生成手段と、
上記スルー画生成手段で生成されたスルー画を表示するスルー画表示手段とを備え、
上記スルー画生成手段が、
上記表示用画像上の主要被写体を認識する被写体認識手段と、
上記被写体認識手段で認識された主要被写体が適正露出に調整された第１の表示用画像とその主要被写体を除く領域が最適露出に調整された第２の表示用画像が繰り返し配置されてなる、複数フレームの表示用画像を生成する露出調整手段と、
上記第１の表示用画像の主要被写体と、上記第２の表示用画像とを合成した第３の表示用画像が複数のフレームにわたって繰り返すスルー画を生成する画像合成手段とを有することを特徴とする。
【０００７】
上記本発明の撮影装置によれば、上記スルー画生成手段を構成する各構成要素のうちの上記露出調整手段が、上記被写体認識手段で認識された主要被写体が適正露出に調整された第１の表示用画像とその主要被写体を除く領域が最適露出に調整された第２の表示用画像が繰り返し配置されてなる、複数フレームの表示用画像を生成し、上記画像合成手段が、その第１の表示用画像とその第２の表示用画像とを合成した第３の表示用画像が上記複数フレームに渡って繰り返すスルー画を生成することとなる。
【０００８】
話をより具体的にするために上記複数フレームを例えば２フレームとすると、上記スルー画生成手段が１フレーム目に第１の表示用画像を生成し、２フレーム目に第２の表示用画像を生成して２フレームごとにその第１の表示用画像とその第２の表示用画像とを合成し、上記スルー画表示手段が、その第１の表示用画像と第２の表示用画像とを合成した第３の表示用画像が２フレームごとに繰り返すスルー画を表示画面上に表示するということになる。
【０００９】
そうすると、上記被写体認識手段で認識された主要被写体と背景との双方が適正露出に調整されたスルー画が２フレームごとに更新されながら表示画面上に表示されることになるため、逆光や夜間であっても、撮影者は撮影に適した露出に調整されたスルー画を表示画面で確認しながら簡単に撮影を行なうことができるようになる。なお２フレームは一例であって複数フレームは３フレーム以上であっても良い。
【００１０】
また上記表示用画像中の顔を認識する顔認識手段を備え上記被写体認識手段は、上記顔認識手段で認識された顔を主要被写体として認識するものであることが好ましい。
【００１１】
そうすると人物を撮影するときに、撮影者は逆光撮影環境や夜間撮影環境であっても主要被写体である人物の顔の表情をはっきりと確認することができるようになる。つまり、撮影者は、逆光や夜間であっても表示画面上で主要被写体の人物の顔の表情を確認しながら好適な撮影を行なうことができるということになる。
【００１２】
また上記露出調整手段は、上記第１の表示用画像と上記第２の表示用画像とが交互に並ぶように露出を調整するものであることが好ましい。
【００１３】
上記露出調整手段が、上記第１の表示用画像と上記第２の表示用画像とが交互に並ぶように露出を調整すると、例えば１フレームごとに主要被写体とその主要被写体を除く領域とを適正露出に調整することで２フレームに渡って主要被写体とその主要被写体を除く領域との双方が撮影に適した露出に調整された合成画像である第３の表示用画像を得ることができる。
【００１４】
このときには、上記画像合成手段は、互いに隣接する第１の表示用画像と第２の表示用画像を合成することにより第３の表示用画像を表示するものであると良い。
【００１５】
そうすると、２フレームごとに第３の表示用画像を表示画面上に表示することができる。例えば１フレームを１／６０秒とすると１／３０秒ごとに第３の表示用画像がスルー画として表示画面上に表示される。
【００１６】
上記目的を達成する本発明のスルー画表示方法は、撮像素子上に被写体を結像させ撮影操作に応じて撮影画像を生成する撮影装置における撮影前のスルー画を表示するスルー画表示方法であって、
上記撮像素子により撮影に先立って生成された複数フレームの表示用画像に基づくスルー画増を生成させるスルー画生成ステップと、
上記スルー画生成手段で生成されたスルー画を表示するスルー画表示ステップとを有し、
上記スルー画生成ステップが、
上記表示用画像上の主要被写体を認識する被写体認識ステップと、
上記被写体認識手段で認識された主要被写体が適正露出に調整された第１の表示用画像とその主要被写体を除く領域が最適露出に調整された第２の表示用画像が繰り返し配置されてなる、複数フレームの表示用画像を生成する露出調整ステップと、
上記第１の表示用画像の主要被写体と、上記第２の表示用画像とを合成した第３の表示用画像が複数フレームに渡って繰り返すスルー画を生成する画像合成ステップとを有し、
上記スルー画表示ステップは、上記画像合成ステップで得られた第３の表示用画像が繰り返すスルー画を表示するステップであることを特徴とする。
【００１７】
例えば上記本発明の撮影方法を実現する手順が示されたプログラムが撮影装置内部に配備されると、そのプログラムの手順にしたがって、撮影装置は、上記スルー画生成ステップ中の被写体認識ステップで主要被写体を認識し、露出調整ステップで主要被写体と主要被写体を除く領域との各々を適正露出に調整し、画像合成ステップで主要被写体と主要被写体を除く領域とのそれぞれを合成して第３の表示用画像を得た後、スルー画表示ステップでその第３の表示用画像をスルー画として表示することとなる。
【００１８】
このため、撮影者は、逆光撮影環境や夜間撮影環境にあっても表示画面上に表示される撮影に適したスルー画を見ながら撮影を容易に行なうことができるようになる。
【発明の効果】
【００１９】
以上、説明したように、逆光や夜間の撮影環境にあっても内部の信号処理により撮影に適したスルー画を表示画面上に表示することができる撮影装置およびその撮影装置におけるスルー画表示方法が実現する。
【発明を実施するための最良の形態】
【００２０】
以下、図を参照して本発明の実施の形態を説明する。
【００２１】
図１は、本発明の撮影装置の第１実施形態であるデジタルカメラを斜め上前方から見た外観斜視図である。
【００２２】
図１に示すデジタルカメラ１００は、被写体光を捉えて画像データを生成するものであり、このデジタルカメラ１００の前面には、光学ズームレンズを内蔵したズーム鏡胴１１１と、撮影に同期してフラッシュ光を発するフラッシュ発光窓１１２と、暗所など低コントラスト時のオートフォーカス（ＡＦ）精度を向上させるためのＡＦ補助光ランプ１１３等が備えられている。
【００２３】
また、このデジタルカメラ１００の上面には、電源スイッチ１１４と、レリーズボタン１１５と、レリーズボタン１１５の周囲に回転式のモードダイヤル１１６が備えられている。モードダイヤル１１６はそのダイヤルを回すことにより静止画モードと動画モードとを交互に切り換えることができるようになっている。また、詳細は後述するが、本実施形態のデジタルカメラ１００は、ホワイトバランス（以降ＷＢという）やＴＯＮＥ（画像のトーン）やＣＯＬＯＲ（画像の色調）やＩＳＯ感度等の画像パラメータの設定を行なうことができる構成になっている。これらの画像パラメータの設定は、背面側のメニュー／ＯＫボタン（後述する）の操作によりＷＢ，ＴＯＮＥ，ＣＯＬＯＲ，ＩＳＯそれぞれについての設定画面が表示画面上に表示された後、その表示画面上の設定画面中の複数の選択項目のうちのいずれかが十字キーのキー操作によって選択され、さらにＯＫボタンが操作されることにより行なわれる構成になっている。
【００２４】
図２は、図１に示すデジタルカメラの背面を示す外観図である。
【００２５】
図２に示すデジタルカメラ１００の背面には、ＬＣＤパネル１１７Ａ、ファインダ１２４、ＭＥＮＵ／ＯＫボタン１１８、ＤＩＳＰ／ＢＡＣＫボタン１１９、フォトモードボタン１２０、再生ボタン１２１、十字キー１２２、ズームボタン１２３などが備えられている。
【００２６】
ＬＣＤ１１７Ａは、撮影レンズにより被写体光を捉えて生成された画像データからなる画像、および種々の設定時における情報を表示するものである。
【００２７】
ＭＥＮＵ／ＯＫボタン１１８は、撮影時や再生時における各種のメニューをＬＣＤパネル１１７Ａ上に表示させたり、表示されたメニューの中から所望のメニューを選択し決定するためのボタンである。ここで前述した様に、本実施形態のデジタルカメラには画像パラメータの設定画面が配備されており、ＭＥＮＵ／ＯＫボタン１１８と後述する十字キー１２２の操作によってＷＢ、ＴＯＮＥ、ＣＯＬＯＲ、ＩＳＯ等の画像パラメータが設定されるとそれらの画像パラメータが内部設定されて撮影が行なわれる。
【００２８】
ＤＩＳＰ／ＢＡＣＫボタン１１９は、ＬＣＤパネル１１７Ａ上に表示された画面の状態を切り換えたり、ＭＥＮＵ／ＯＫボタン１１８等による操作を１つ前の状態に戻したり操作を取り消したりするためのボタンである。
【００２９】
フォトモードボタン１２０は、ピクセル数，感度，色味，プリント枚数等を設定するためのボタンである。
【００３０】
再生ボタン１２１は、メモリカードなどの記録媒体に記録された撮影画像を、ＬＣＤ１１７に再生表示するためのボタンである。
【００３１】
十字キー１２２は、様々なモードでその役割が変化し、例えば静止画モードではマクロボタンやフラッシュキーであったり、再生モードではＬＣＤパネル１１７Ａに表示したサムネイルの選択キーであったりする。マクロキーは、マクロ撮影を行なうか否かを切り換えるためのスイッチキーであり、一度押下するとマクロ撮影モードとなり、再度押下するとマクロ撮影モードが解除される。フラッシュキーは、押下する毎に、オートフラッシュ、赤目低減フラッシュ、強制フラッシュ、フラッシュ禁止、スローシャッタでのフラッシュ、およびオートフラッシュというようにフラッシュの状態を順繰りに切り換えるためのスイッチキーである。
【００３２】
ズームボタン１２３は、右方に向けて押下することにより望遠側（テレ側）にズームインするとともに左方に向けて押下することにより広角側（ワイド側）にズームアウトするためのボタンである。
【００３３】
図３は、図１、図２のデジタルカメラの内部構成を示す構成ブロック図である。
【００３４】
図３には、スルー画の生成に関与する部分のみを抜粋して示してある。レンズと撮像手段（撮像素子と撮像素子駆動部とアナログフロントエンドとＡ／Ｄとを備える）とＬＣＤ以外は、マイクロコンピュータで構成されているとする。
【００３５】
まず、図３を参照して簡単に内部構成を説明する。
【００３６】
図３には、プログラムによりマイクロコンピュータ内の各手段が構成されている例が示されている。この図３中には、図３の左側のレンズ１１１０が捉えたスルー画を、図３の右側のＬＣＤ１１７のＬＣＤパネル１１７Ａ上に表示するための本発明にいうスルー画生成手段とスルー画表示手段とが示されている。
【００３７】
つまり本実施形態では本発明にいうスルー画生成手段の一例がレンズ１１１０と撮像手段１３０１とマイクロコンピュータ（表示制御手段を除く）１３０で構成され、本発明にいうスルー画表示手段の一例が、マイクロコンピュータ（表示制御手段のみ）１３０とＬＣＤ１１７とで構成されている。マイクロコンピュータ１３０と撮像手段１３０１、マイクロコンピュータ１３０とＬＣＤ１１７とはバスで接続されており、マイクロコンピュータ１３０はバスを介して書き換え自在に複数ビットからなる制御情報を双方に供給することにより双方を自在に制御することが可能な構成になっている。
【００３８】
図１で説明した様に、ズーム鏡胴１１１内には光学ズームレンズであるレンズ１１１０が備えられており、そのレンズ１１１０によって撮像手段１３０１に被写体像が結像される。
【００３９】
この撮像手段１３０１には、撮像素子とその撮像素子から出力された画像信号を増幅する増幅回路とが備えられており、その増幅回路によって画像信号の増幅が行なわれることにより感度の調整が行なわれる。この増幅回路には外部からの制御信号に応じたゲインで入力された画像信号を増幅することが可能なものを採用しているので、本実施形態では、上記課題を達成するために、マイクロコンピュータ１３０の内部に顔検出手段１３１０１を設けて被写体が人物である認識したときにはマイクロコンピュータ１３０がその顔検出手段１３１０１で検出された顔周辺を主要被写体としその主要被写体を除く領域を背景として、上記増幅回路のゲインをフレームごとに変更することにより主要被写体とその主要被写体を除く領域との露出を２フレームに渡って各々適正露出に調整することができるようにする構成を採用している。
【００４０】
このため、そのゲイン調整手段１３０７には、撮像手段１３０１から出力された画像信号が表わす画像中に顔があるかどうかを検出する顔検出手段１３１０１と顔部測光手段１３１０２と顔部ゲイン算出手段１３１０３と、その顔検出手段１３１０１で検出された顔部を除く背景部の測光を行なう背景部測光手段１３２０１と背景部ゲイン算出手段１３２０２とが接続されている。
【００４１】
なお以降の説明においては、説明を簡略にするために、顔検出手段１３１０１と顔部測光手段１３１０２と顔部ゲイン算出手段１３１０３とで構成される主要被写体の輝度を検出する部分を顔用輝度検出部１３１０と記載し、背景部測光手段１３２０１と背景部ゲイン算出手段１３２０２とで構成される背景の輝度を検出する部分を背景用輝度検出部１３２０と記載することがある。
【００４２】
こうして顔用輝度検出部１３０１と背景用輝度検出部１３２０とでそれぞれ顔部と背景部との輝度が検出されて顔部と背景部との輝度を撮影に適した適正露出にするためのゲインが算出されると、ゲイン調整手段１３０７は、それぞれのゲインを表わす制御情報をバスを経由して撮像手段１３０１内のレジスタに１フレームごとに交互にセットして１フレームごとに画像信号の増幅を異なるゲインで増幅回路に行なわせる。
【００４３】
この１フレームごとに交互に制御情報をセットすることができるようにするために撮像手段１３０１の後段にはフレーム制御手段１３０２が設けられており、そのフレーム制御手段１３０２からの切替信号に応じてゲイン調整手段１３０７から撮像手段１３０１内の増幅回路に供給するゲインを表わす制御情報を１フレームごとに切り替えることができるようにしている。
【００４４】
また、このフレーム制御手段１３０２では、ゲイン調整手段１３０７から撮像手段１３０１に供給されるゲインを表す制御信号を１フレームごとに切り替えるとともに、異なるゲインで増幅された１フレームごとの画像信号を顔用フレームバッファ１３０３と背景用フレームバッファ１３０４とにそれぞれ振り分けて記憶することが行なわれる。
【００４５】
そして、フレーム制御手段１３０２の制御により１フレームごとに顔用と背景用との画像信号が各々のフレームバッファに記憶された後、２フレームごとに顔領域合成手段１３０５で２つの画像信号の合成が行なわれる。
【００４６】
このときには、顔検出手段１３１０１から供給されている顔座標部分の領域の画像信号については顔用フレームバッファ１３０３からの画像信号が割り当てられるとともに、その顔座標部分を除く領域については背景用フレームバッファ１３０４からの画像信号が割り当てられることにより画像信号が合成される。
【００４７】
つまり本実施形態では、この顔用フレームバッファ１３０３に記憶される画像信号が表わす画像により本発明にいう第１の表示用画像の一例が構成され、背景フレームバッファ１３０４に記憶される画像信号が表わす画像により本発明にいう第２の表示用画像の一例が構成されることになる。
【００４８】
また、本実施形態においては、顔検出手段１３１０１で本発明にいう被写体認識手段の一例が構成され、顔用輝度検出部１３１０と背景用輝度検出部１３２０とゲイン調整手段１３０７と撮像手段１３０１とフレーム制御手段１３０２とで本発明にいう露出調整手段の一例が構成される。さらに顔領域合成手段１３０５で本発明にいう合成手段の一例が構成される。
【００４９】
こうして、顔用フレームバッファ１３０３に記憶されていた画像信号が表わす第１の表示用画像と背景用フレームバッファ１３０４に記憶されていた画像信号が表わす第２の表示用画像とが合成された第３の表示用画像が表示制御手段１３０６に供給され、その表示制御手段１３０６の制御の下にＬＣＤ１１７が備えるＬＣＤパネル１１７Ａ上に２フレームごとに絵柄が更新される第３の表示用画像がスルー画として表示される。
【００５０】
この顔と背景との双方が撮影に適した露出に調整されたスルー画がＬＣＤパネル１１７Ａ上に表示されると、撮影者は、夜間であっても逆光であってもそのスルー画を見ながら簡単に撮影を行なうことができる。
【００５１】
図４は、マイクロコンピュータ１３０が実行する、本発明にいう撮影方法を示す手順が示されたプログラムのフローチャートである。
【００５２】
ステップＳ４０１で撮像手段１３０１等の各部の初期化を実行する。ステップＳ４０２で奇数フレームであるかどうかを判定する。ステップＳ４０２で奇数フレームであると判定したときにはＹｅｓ側へ進んでステップＳ４０３で奇数フレームを顔用フレームとして顔用輝度検出部１３１０で算出されたゲインを設定する。なお最初のフレームにおいては顔用輝度検出部１３１０でゲインがまだ算出されていないので、顔用のゲインとして標準的なゲインを設定する。ステップＳ４０４で撮像手段１３０１にスルー画用の画像信号の撮像を行なわせる。ステップＳ４０５でそのスルー画用の画像信号が表わす第１の表示用画像中に顔があるかどうかを顔検出手段１３１０１で検出する。ステップＳ４０６で顔検出手段１３１０１で顔が検出されて顔があると判定したときには、次のステップＳ４０７で顔画像の座標位置を保持してステップＳ４０８で顔の輪郭内および輪郭周辺の測光を顔部測光手段１３１０２で実施する。次のステップＳ４０９でその顔の輪郭周辺および輪郭内の測光値に基づいて次のフレームでは同じ被写体がまだ捉えられているとして次の奇数フレームのゲインを算出する。次のステップＳ４１０で、奇数フレームであるか、偶数フレームであるかを判定して奇数フレームであると判定したときにはステップＳ４０２に戻ってステップＳ４０２からの処理を実行する。ステップＳ４０２で偶数フレームであると判定したときには、今度はＮｏ側へ進んでステップＳ４１１で背景フレームであるとして前の偶数フレームの測光により算出された背景用輝度検出部１３２０で算出されたゲインを設定する。なお最初のフレームにおいては背景用輝度検出部１３２０でゲインがまだ算出されていないので、背景用のゲインとして標準的なゲインを設定する。ステップＳ４１２で撮像手段にスルー画用の画像信号の撮像を行なわせる。ステップＳ４１３で顔検出手段で検出された顔部を除く背景部の輝度の測光を行なって次のステップＳ４１４で次の偶数フレームのゲインを算出する。
【００５３】
次のステップＳ４１０で偶数フレームであると判定したときにはＹｅｓ側へ進んでステップＳ４１５で顔画像と背景とを合成する。ステップＳ４１６で表示制御手段１３０６の制御の下にＬＣＤ１１７のＬＣＤパネル１１７Ａ上に被写体を表示する。
【００５４】
なお、ステップＳ４０６で顔が検出されないときにはＮｏ側へ進んでステップＳ４１３で被写体全体の測光を行なってステップＳ４１４でゲイン算出を行なってステップＳ４１０以降の処理を繰り返す。つまりステップＳ４０６で顔が検出されないときには、顔用フレームが必要なくなるのですべてを背景用フレームとしてステップＳ４１３とステップＳ４１３の処理がフレームごとに繰り返し行なわれるということになる。
【００５５】
以上説明した様に撮影装置内のマイクローコンピュータ１３０が図４のフローの処理を実行すると、２フレームごとに主要被写体と背景とが適正露出に調整されたスルー画がＬＣＤパネル１１７Ａ上に表示される。そのスルー画を見て撮影者によって撮影が行なわれると、そのスルー画どおりの画像が得られる。つまり逆光撮影環境や夜間撮影環境にあっても撮影者は表示画面上の表示を見て被写体の撮影を簡単に行なうことができるようになる。
【００５６】
なお、本実施形態では、複数フレームを２フレームとして奇数フレームを顔用とし、偶数フレームを背景用としているが、偶数フレームを顔用として奇数フレームを背景用としても良い。また、複数フレームを３フレームとして中間のフレームを顔用とし１フレーム目と３フレーム目を背景用としても良く、また３つ以上の数のフレームを用いて顔用、背景用の表示用画像を生成しても良い。
【図面の簡単な説明】
【００５７】
【図１】本発明の撮影装置の第１実施形態であるデジタルカメラを斜め上前方から見た外観斜視図である。
【図２】図１に示すデジタルカメラの背面を示す外観図である。
【図３】図１、図２のデジタルカメラの内部構成を示す構成ブロック図である。
【図４】マイクロコンピュータ１３０が実行する、本発明にいう撮影方法を示す手順が示されたプログラムのフローチャートである。
【符号の説明】
【００５８】
１００  デジタルカメラ
１１１    ズーム鏡胴
１１１０    レンズ
１１２    フラッシュ発光窓
１１３    ＡＦ補助光ランプ
１１４    電源スイッチ
１１５    レリーズボタン
１１６    撮影モードダイヤル
１１７    ＬＣＤ
１１７Ａ    ＬＣＤパネル
１１８    ＭＥＮＵ／ＯＫボタン
１１９    ＤＩＳＰ／ＢＡＣＫボタン
１２０    フォトモードボタン
１２２    十字キー  
１２３    ズームボタン  
１２４    ファインダ１２４
１３０    マイクロコンピュータ
１３０１    撮像手段
１３０２    フレーム制御手段
１３０３    顔用フレームバッファ
１３０４    背景用フレームバッファ
１３０５    顔領域合成手段
１３０６    表示制御手段
１３０７    ゲイン調整手段
１３１０    顔用輝度検出部
１３２０    背景用輝度検出部
【図１】
2009182832.tif 000003
【図２】
2009182832.tif 000004
【図３】
2009182832.tif 000005
【図４】
2009182832.tif 000006